【手続補正書】
【提出日】令和1年7月30日(2019.7.30)
【手続補正１】
【補正対象書類名】明細書
【補正対象項目名】０００４
【補正方法】変更
【補正の内容】
【０００４】
図４７（ａ）及び図４７（ｂ）から理解されるように、レバー９２０を押し下げると、コネクタ９１０が下方に移動し、電源端子と相手側電源端子とが接続される。これにより、電源回路が形成される。図４７（ｂ）及び図４７（ｃ）から理解されるように、レバー９２０を水平にスライドさせると、検知端子と相手側検知端子が接続され、これによって電源回路が通電状態となる。コネクタ９１０を相手側コネクタ９５０から外す際には、上述した操作が逆の順番で行われる。具体的には、まず、レバー９２０を接続時の方向と逆方向にスライドさせ、検知端子と相手側検知端子との接続を解除する。次に、レバー９２０を持ちあげて、電源端子と相手側電源端子との接続を解除する。
【手続補正２】
【補正対象書類名】明細書
【補正対象項目名】００１８
【補正方法】変更
【補正の内容】
【００１８】
【図１】本発明の実施の形態によるコネクタ装置を示す斜視図である。コネクタは相手側コネクタから離れている。
【図２】図１のコネクタ装置のコネクタを示す分解斜視図である。検知端子の一部（破線で囲んだ部分）を拡大して描画している。
【図３】図１のコネクタ装置の相手側コネクタを示す分解斜視図である。相手側コネクタの相手側サブコネクタの内部に保持されている２つの相手側検知端子を信号線と共に破線内に描画している。
【図４】図３の相手側コネクタの相手側検知端子と信号線とを示す斜視図である。相手側検知端子の一部（破線で囲んだ部分）を拡大して描画している。
【図５】図４の相手側検知端子を示す側面図である。
【図６】図４の相手側検知端子を示す正面図である。
【図７】図６の相手側検知端子をＶＩＩ−ＶＩＩ線に沿って示す断面図である。相手側検知端子の一部（破線で囲んだ部分）を拡大して描画している。
【図８】図４の相手側検知端子の接続片を示す一部切り欠き斜視図である。
【図９】図４の相手側検知端子のバネ片を示す一部切り欠き斜視図である。
【図１０】図９のバネ片を示す側面図である。
【図１１】図９のバネ片を示す背面図である。バネ片の一部（破線で囲んだ部分）を拡大して描画している。
【図１２】図１のコネクタ装置を示す上面図である。
【図１３】図１２のコネクタ装置をＸＩＩＩ−ＸＩＩＩ線に沿って示す断面図である。電源ケーブル及び信号線の下端部は描画していない。
【図１４】図１２のコネクタ装置をＸＩＶ−ＸＩＶ線に沿って示す断面図である。電源ケーブル及び信号線の下端部は描画していない。
【図１５】図１２のコネクタ装置をＸＶ−ＸＶ線に沿って示す断面図である。電源ケーブル及び信号線の下端部は描画していない。
【図１６】図１２のコネクタ装置をＸＶＩ−ＸＶＩ線に沿って示す断面図である。電源ケーブル及び信号線の下端部は描画していない。
【図１７】図１のコネクタ装置を示す別の斜視図である。コネクタは非接続状態にある。電源ケーブル及び信号線の下端部は描画していない。
【図１８】図１７のコネクタ装置を示す平面図である。
【図１９】図１８のコネクタ装置をＸＩＸ−ＸＩＸ線に沿って示す断面図である。
【図２０】図１８のコネクタ装置をＸＸ−ＸＸ線に沿って示す断面図である。
【図２１】図１８のコネクタ装置をＸＸＩ−ＸＸＩ線に沿って示す断面図である。
【図２２】図１のコネクタ装置を示す別の斜視図である。コネクタは第１中間状態にある。電源ケーブル及び信号線の下端部は描画していない。
【図２３】図２２のコネクタ装置を示す平面図である。
【図２４】図２３のコネクタ装置をＸＸＩＶ−ＸＸＩＶ線に沿って示す断面図である。電源端子と相手側電源端子との間の接触部分の近傍（１点鎖線で囲んだ部分）を拡大して描画している。
【図２５】図２３のコネクタ装置をＸＸＶ−ＸＸＶ線に沿って示す断面図である。相手側検知端子の上端部の近傍（１点鎖線で囲んだ部分）を拡大して描画している。
【図２６】図２３のコネクタ装置をＸＸＶＩ−ＸＸＶＩ線に沿って示す断面図である。
【図２７】図２３のコネクタ装置をＸＸＶＩＩ−ＸＸＶＩＩ線に沿って示す断面図である。
【図２８】図２３のコネクタ装置をＸＸＶＩＩＩ−ＸＸＶＩＩＩ線に沿って示す断面図である。
【図２９】図１のコネクタ装置を示す別の斜視図である。コネクタは接続状態にある。電源ケーブル及び信号線の下端部は描画していない。
【図３０】図２９のコネクタ装置を示す平面図である。
【図３１】図３０のコネクタ装置をＸＸＸＩ−ＸＸＸＩ線に沿って示す断面図である。
【図３２】図３０のコネクタ装置をＸＸＸＩＩ−ＸＸＸＩＩ線に沿って示す断面図である。検知端子と相手側検知端子との間の接触部分の近傍（１点鎖線で囲んだ部分）を拡大して描画している。
【図３３】図３０のコネクタ装置をＸＸＸＩＩＩ−ＸＸＸＩＩＩ線に沿って示す断面図である。
【図３４】図３０のコネクタ装置をＸＸＸＩＶ−ＸＸＸＩＶ線に沿って示す断面図である。
【図３５】図１のコネクタ装置を示す別の斜視図である。コネクタは第２中間状態（中間状態）にある。電源ケーブル及び信号線の下端部は描画していない。
【図３６】図３５のコネクタ装置を示す平面図である。
【図３７】図３６のコネクタ装置をＸＸＸＶＩＩ−ＸＸＸＶＩＩ線に沿って示す断面図である。
【図３８】図３６のコネクタ装置をＸＸＸＶＩＩＩ−ＸＸＸＶＩＩＩ線に沿って示す断面図である。
【図３９】図３６のコネクタ装置をＸＸＸＩＸ−ＸＸＸＩＸ線に沿って示す断面図である。
【図４０】図１７のコネクタ装置の回転軸、電源端子、相手側電源端子、検知端子及び相手側検知端子を回転軸が延びる方向と直交する平面に投影したときの位置関係を示す図である。
【図４１】図１のコネクタ装置を示す別の斜視図である。コネクタは第１中間状態から接続状態に遷移する接続過程又は接続状態から第２中間状態に遷移する接続解除過程にある。電源ケーブル及び信号線の下端部は描画していない。
【図４２】図４１のコネクタ装置を示す平面図である。
【図４３】図４２のコネクタ装置をＸＬＩＩＩ−ＸＬＩＩＩ線に沿って示す断面図である。検知端子と相手側検知端子との間の接触部分の近傍（１点鎖線で囲んだ部分）を拡大して描画している。
【図４４】図４２のコネクタ装置をＸＬＩＶ−ＸＬＩＶ線に沿って示す断面図である。
【図４５】図４４のコネクタ装置における相手側検知端子の接続面の近傍（１点鎖線Ａで囲んだ部分）を拡大して示す断面図である。
【図４６】図４５の検知端子の副接触部と相手側検知端子の相手側副接触部との位置関係を示す図である。
【図４７】特許文献１のレバー嵌合式電源回路遮断装置（コネクタ装置）を示す側面図である。コネクタは実線で描画しており、相手側コネクタは破線で描画している。
【手続補正３】
【補正対象書類名】明細書
【補正対象項目名】００８７
【補正方法】変更
【補正の内容】
【００８７】
図４６を参照すると、本実施の形態において、副接触部３１４は、接続部３１０の＋Ｙ側の面の一部であり、相手側副接触部７２４は、第１所定方向（円周方向）及び第２所定方向（半径方向）の双方と直交する方向（−Ｙ方向）に突出しており、且つ、第１所定方向と交差する長手方向に沿って長く延びている。この構造により、アーク放電による副接触部３１４の劣化は、副接触部３１４の接触縁３１４Ｅにおける開始点３１４Ｆから、接触縁３１４Ｅに沿って径方向の外側に向かって進行する。これにより、接続解除過程におけるアーク放電のタイミングを比較的一定に保つことができる。